【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
文書画像と該文書画像中の文字の文字サイズ情報とを関連付けて記憶する記憶手段から文書画像を選択する選択ステップと、
前記選択ステップで選択された文書画像と関連付けて記憶される前記文字サイズ情報に基づいて、該文書画像を出力する際の出力サイズを決定する決定ステップと、
前記決定ステップで決定された出力サイズで前記文書画像を出力する出力ステップとを備えたことを特徴とする電子ファイリング方法。
【請求項２】
検索条件として検索文字列を入力する入力ステップを更に備え、
前記選択ステップは、前記入力ステップで入力された検索文字列によって検索された文書画像を選択し、
前記決定ステップは、前記選択ステップで選択された文書画像中の検索文字列に対応する文字列のサイズに基づいて、前記出力サイズを決定することを特徴とする請求項１記載の電子ファイリング方法。
【請求項３】
前記記憶手段は文字の位置情報を更に記憶し、
前記決定ステップは、文書中の検索文字列のサイズ及び文書中での位置に基づき、該文書を出力する際の出力サイズと出力位置を決定し、
前記出力ステップは前記決定ステップで決定された出力サイズ及び出力位置に基づいて前記文書を出力することを特徴とする請求項２記載の電子ファイリング方法。
【請求項４】
前記出力ステップは前記文書中の検索文字列が表示装置の可視領域内に表示されるよう制御して表示することを特徴とする請求項２記載の電子ファイリング方法。
【請求項５】
前記選択ステップは、文書画像の少なくとも１つのページを選択し、
前記決定ステップは、前記選択ステップで選択されたページ内にある文字の文字サイズ情報に基づいて前記出力サイズを決定することを特徴とする請求項１記載の電子ファイリング方法。
【請求項６】
前記決定ステップは、前記ページ内にある文字の平均文字サイズに基づいて前記出力サイズを決定することを特徴とする請求項５記載の電子ファイリング方法。
【請求項７】
前記選択ステップで選択された文書画像を表示装置に表示するよう制御する表示制御ステップと、
前記表示制御ステップで表示された文書画像中の任意の領域を指定する指定ステップとを更に備え、
前記決定ステップは前記指定ステップで指定した領域中の文字サイズ情報に基づいて、前記出力サイズを決定することを特徴とする請求項１記載の電子ファイリング方法。
【請求項８】
前記決定ステップは、前記指定ステップで指定した領域内にある文字の平均文字サイズに基づいて前記出力サイズを決定することを特徴とする請求項７記載の電子ファイリング方法。
【請求項９】
前記出力ステップは、前記指定ステップで指定した領域が、表示装置の可視領域内に表示されるよう制御して表示することを特徴とする請求項７記載の電子ファイリング方法。
【請求項１０】
前記出力ステップは、前記指定ステップで指定した領域のフレームを文書に重ねて表示するよう制御することを特徴とする請求項７記載の電子ファイリング方法。
【請求項１１】
前記決定ステップは前記文字サイズ情報及び表示装置の解像度に基づいて、前記出力サイズを決定することを特徴とする請求項１記載の電子ファイリング方法。
【請求項１２】
文書画像と該文書画像中の文字の文字サイズ情報とを関連付けて記憶する記憶手段から文書画像を選択する選択手段と、
前記選択手段で選択された文書画像と関連付けて記憶される前記文字サイズ情報に基づいて、該文書画像を出力する際の出力サイズを決定する決定手段と、
前記決定手段で決定された出力サイズで前記文書画像を出力する出力手段とを備えたことを特徴とする電子ファイリング装置。
【請求項１３】
検索条件として検索文字列を入力する入力手段を更に備え、
前記選択手段は、前記入力手段で入力された検索文字列によって検索された文書画像を選択し、
前記決定手段は、前記選択手段で選択された文書画像中の検索文字列に対応する文字列のサイズに基づいて、前記出力サイズを決定することを特徴とする請求項１２記載の電子ファイリング装置。
【請求項１４】
前記記憶手段は文字の位置情報を更に記憶し、
前記決定手段は、文書中の検索文字列のサイズ及び文書中での位置に基づき、該文書を出力する際の出力サイズと出力位置を決定し、
前記出力手段は前記決定手段で決定された出力サイズ及び出力位置に基づいて前記文書を出力することを特徴とする請求項１３記載の電子ファイリング装置。
【請求項１５】
前記出力手段は前記文書中の検索文字列が表示装置の可視領域内に表示されるよう制御して表示することを特徴とする請求項１３記載の電子ファイリング装置。
【請求項１６】
前記選択手段は、文書画像の少なくとも１つのページを選択し、
前記決定手段は、前記選択手段で選択されたページ内にある文字の文字サイズ情報に基づいて前記出力サイズを決定することを特徴とする請求項１２記載の電子ファイリング装置。
【請求項１７】
前記決定手段は、前記ページ内にある文字の平均文字サイズに基づいて前記出力サイズを決定することを特徴とする請求項１６記載の電子ファイリング装置。
【請求項１８】
前記選択手段で選択された文書画像を表示装置に表示するよう制御する表示制御手段と、
前記表示制御手段で表示された文書画像中の任意の領域を指定する指定手段とを更に備え、
前記決定手段は前記指定手段で指定した領域中の文字サイズ情報に基づいて、前記出力サイズを決定することを特徴とする請求項１２記載の電子ファイリング装置。
【請求項１９】
前記決定手段は、前記ページ内にある文字の平均文字サイズに基づいて前記出力サイズを決定することを特徴とする請求項１８記載の電子ファイリング装置。
【請求項２０】
前記出力手段は、前記指定手段で指定した領域が、表示装置の可視領域内に表示されるよう制御して表示することを特徴とする請求項１８記載の電子ファイリング装置。
【請求項２１】
前記出力手段は、前記指定手段で指定した領域のフレームを文書に重ねて表示するよう制御することを特徴とする請求項１８記載の電子ファイリング装置。
【請求項２２】
前記決定手段は前記文字サイズ情報及び表示装置の解像度に基づいて、前記出力サイズを決定することを特徴とする請求項１２記載の電子ファイリング装置。
【手続補正２】
【補正対象書類名】明細書
【補正対象項目名】００２０
【補正方法】変更
【補正の内容】
【００２０】
【課題を解決するための手段】
上記目的を達成するために、本発明の電子ファイリング方法は、文書画像と該文書画像中の文字の文字サイズ情報とを関連付けて記憶する記憶手段から文書画像を選択する選択ステップと、前記選択ステップで選択された文書画像と関連付けて記憶される前記文字サイズ情報に基づいて、該文書画像を出力する際の出力サイズを決定する決定ステップと、前記決定ステップで決定された出力サイズで前記文書画像を出力する出力ステップとを備えたことを特徴とする。


【手続補正３】
【補正対象書類名】明細書
【補正対象項目名】００２１
【補正方法】変更
【補正の内容】
【００２１】
また本発明の電子ファイリング装置は、文書画像と該文書画像中の文字の文字サイズ情報とを関連付けて記憶する記憶手段から文書画像を選択する選択手段と、前記選択ステップで選択された文書画像と関連付けて記憶される前記文字サイズ情報に基づいて、該文書画像を出力する際の出力サイズを決定する決定手段と、前記決定ステップで決定された出力サイズで前記文書画像を出力する出力手段とを備えたことを特徴とする。
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００９８
【補正方法】変更
【補正の内容】
【００９８】
以上詳述したように、本実施形態によれば、入力された検索文字列に対応する文書画像中の文字列のサイズに基づいて文書画像の出力サイズを決定し、該文書画像を、決定した出力サイズで表示するので、検索文字列に対応する文字列ごとに、文字を適切な大きさで表示することが可能になる。


【手続補正１５】
【補正対象書類名】明細書
【補正対象項目名】００９９
【補正方法】変更
【補正の内容】
【００９９】
また本実施形態によれば、文書画像のページを選択し、該ページ内にある文字の文字サイズ情報から文書の出力サイズを決定し、該文書画像を、決定した出力サイズで表示するので、文書のページごとに適切な大きさで文字を表示することが可能になる。


【手続補正１６】
【補正対象書類名】明細書
【補正対象項目名】０１００
【補正方法】変更
【補正の内容】
【０１００】
また本実施形態によれば、文書画像を表示装置に表示し、該文書画像中の任意の領域を指定し、該指定された領域中の任意の領域を指定し、指定された領域中の文字サイズ情報に基づいて、該文書画像の出力サイズを決定し、該文書画像を、決定した出力サイズで表示するので、文書の特定領域ごとに文字を適切な大きさで表示することが可能になる。


【手続補正１７】
【補正対象書類名】明細書
【補正対象項目名】０１０１
【補正方法】変更
【補正の内容】
【０１０１】
【発明の効果】
以上詳述したように、本発明によれば、文書出力時に、文字を適切な大きさで出力することが可能になる。
【手続補正１８】
【補正対象書類名】明細書
【補正対象項目名】０１０２
【補正方法】削除
【補正の内容】
【手続補正１９】
【補正対象書類名】明細書
【補正対象項目名】０１０３
【補正方法】削除
【補正の内容】